(57)【要約】　　　（修正有）【課題】可動性および多種の据え付け方式の機能を有する掛架式携帯ディスプレイを提供する。【解決手段】薄型ディスプレイ１０と、該ディスプレイ１０の背面上縁に設置される枢軸２０と、該枢軸２０に設置され、薄型ディスプレイ１０を直接支持部品上に掛架する少なくとも１個のフック３０とを備え、前述の支持部品はサンバイザー、ヘッドレストカバーあるいは硬質の背板により構成され、さらに、該背板は底座と結合し、支持固定座の形態を成している。【選択図】　　図１
0003100394.tif 000002
【実用新案登録請求の範囲】
【請求項１】
　薄型ディスプレイと、
　該ディスプレイの背面上縁に設置される枢軸と、
　該枢軸に設置されるフックであって、該フックにより薄型ディスプレイを直接に支持部品上に掛架する少なくとも１個のフックと、を備えることを特徴とする掛架式携帯ディスプレイ。
【請求項２】
　該フックは７字形を呈し、前側の比較的短い辺の結合面が枢軸背面の位置決め溝に挿入され枢軸と結合し固定され、また後側は弾性の引っ掛け部を形成することを特徴とする請求項１記載の掛架式携帯ディスプレイ。
【請求項３】
　該支持部品は車内のサンバイザーであることを特徴とする請求項１記載の掛架式携帯ディスプレイ。
【請求項４】
　該支持部品は車内のシートのヘッドレストカバーであり、ヘッドレストカバーの背面にはフックと対応するフック溝が設けられていることを特徴とする請求項１記載の掛架式携帯ディスプレイ。
【請求項５】
　該支持部品は硬質材より構成された背面フレームであって、下方向へ開口する嵌溝が形成され、前板底縁には受け面が凸出して形成され、その背面には嵌合部が形成されていることを特徴とする請求項１記載の掛架式携帯ディスプレイ。
【請求項６】
　該背面フレームの嵌合部は底座上縁に向かい合う嵌合溝に嵌設され、背面フレームと底座とが結合し支持固定座形態を形成することを特徴とする請求項５記載の掛架式携帯ディスプレイ。
【考案の詳細な説明】
【技術分野】
【０００１】
　本考案は、１種の掛架式携帯ディスプレイに関し、特に掛架方式によって所定の物体上に結合でき、多種の場所に据え付け使用できるよう設計されているものを指す。
【背景技術】
【０００２】
　レジャーが重視されている趨勢のもと、ますます多くの車がディスプレイを装備するようになり、旅行の途中で映画、カラオケ、電子ゲーム、あるいは衛星ナビゲーション等のサービスを提供するのに用いられている。従来の車内に設置されるディスプレイは、すべて車の内装に合わせて設計されており、車両が工場から出荷される時、すでに車内に設置、据え付けされており、固定され専属の特性を有する。よってその専属性により、もしすでに出荷された車両にディスプレイを設置したくなった場合、車のもともと有った内装を破壊しなければならなかったり（部分的に部品を取り外す）、あるいは調和しないといった現象が起きる。この他、固定性を有するため、その使用範囲は車内に限定される。
【考案の開示】
【考案が解決しようとする課題】
【０００３】
　本考案の主要な目的は、従来技術における車の内装との組合せの問題を解決し、１種の掛架方式により車のもともと有る内装と結合させ、使用上便利で空間を占有しない効果を増す掛架式携帯ディスプレイを提供することである。
　本考案のもう一つの目的は、従来技術における車内の使用のみに限定される問題を解決し、可動性および多種の据え付け方式の機能を有する掛架式携帯ディスプレイを提供することである。
【課題を解決するための手段】
【０００４】
　上述の機能を達成するために、本考案の構造特徴は、以下の内容を含む。
　薄型ディスプレイ、
　該ディスプレイの背面上縁に設置される枢軸、
　該枢軸に設置され、薄型ディスプレイを直接１個の支持部品上に掛架する少なくとも１個のフック。
　前述の支持部品はサンバイザー、ヘッドレストカバーあるいは硬質の背板により構成される。
　さらに、該背板は底座と結合し、支持固定座の形態を成している。
【考案を実施するための最良の形態】
【０００５】
　まず、図１を参照する。本考案は液晶薄型ディスプレイ１０の背面上縁に枢軸２０が設置され、また該枢軸２０には少なくとも１個のフック３０が設置されている。このフック３０は概ね７字形を呈し、前側の比較的短い辺の結合面３０１が枢軸２０背面の位置決め溝２０１に挿入され、接着方式あるいはねじ３０２固定方式によって、これを枢軸２０と結合固定させる。またフック３０の後側は弾性の引っ掛け部３０３を形成する。また該ディスプレイ１０は図２に示されるように、該枢軸２０およびフック３０に対して前向きに回転し、その据え付け角度を調整することができる。
【０００６】
　前述の薄型ディスプレイ１０は側辺に接続ポート１１が設けられ、ディスプレイ１０を所定の支持部品上に掛架し位置決めした後、信号ケーブルを接続すれば使用することができる。また本考案を掛架する支持部品については車の内装を破壊しないことを原則とする。
【０００７】
　図３、および図６に示されるのは、本考案の一つの実行可能な実施例であり、該フック３０を直接自動車のサンバイザー４０に吊掛して使用する。この時、該枢軸２０、フック３０は支持部品であるサンバイザー４０に引っ掛けられ位置決めされているが、ディスプレイ１０は枢軸２０を軸心として、前方向に必要な角度まで調整することができる。サンバイザー４０の化粧鏡４１を使用したい時は、図４に示されるように、ディスプレイ１０を上へめくる状態にすればよく、サンバイザー４０のもともとの機能を全く妨げない。またディスプレイ１０を収納する時は、サンバイザー４０に密着させ、サンバイザー４０と一緒に自動車のルーフ内に密着させることができ、その他の空間を占有しない。
【０００８】
　次に図５を参照する。本考案の別の使用実施例であり、ヘッドレストカバー４２を支持部品とする。該ヘッドレストカバー４２は皮製あるいは布製である。該ヘッドレストカバー４２は座席にもともと有るヘッドレスト４４上に套設固定され、かつ該ヘッドレストカバー４２の背面にはディスプレイ１０のフック３０と対応するフック溝４３が設けられ、それは硬質材より形成され、フック３０を吊掛し位置決めできるようになっている。図６に示されるように、該薄型ディスプレイ１０は支持部品であるヘッドレストカバー４２背面に直接掛架することができ、最もよい視覚角度に調整して後部座席の乗客が観賞使用することができる。また車にもともと有るヘッドレスト４４を破壊したり動かしたりする必要もない。
【０００９】
　この他、図７に示されるように、本考案はまた該フック３０を支持部品である背面フレーム５０に吊掛してもよい。それは例えば金属板のような硬質材より構成され、かつ該背面フレーム５０は下方向へ開口する嵌溝５１を湾曲して形成し、図８に示されるように、この嵌溝５１を自動車座席背面の収納ポケット６０に套設することにより、別の１種の使用状態が形成される（収納ポケット６０は軟質であるため、直接フック３０を吊掛して使用することはできない）。さらに、続いて図７に示されるように、該背面フレーム５０の背板５２底縁には嵌合部５３が形成され、前板５４底縁にはディスプレイ１０底縁を支える受け面５５が外側に凸出して形成されている。また該背面フレーム５０はその嵌合部５３により底座７０上縁の嵌合溝７１に嵌設固定され、結合して一体になり、図９に示されるような支持固定座形態を形成するので、例えば大型観光バスのテーブル上に固定したり、あるいは車外へ持ち出して、図１０に示されるように卓上型として使用するなど、適切な位置に置いて使用する。
【００１０】
　このような構成に基づき、本考案はフック３０を直接サンバイザー４０およびヘッドレストカバー４２に掛架でき、あるいは背面フレーム５０を追加設置して座席背面の収納ポケット６０に套設することができ、みな車の内装を変更する必要がなくすぐに取り付けて使用できる。この他、背面フレーム５０を底座７０に嵌設することにより、卓上型の据え付け方式も可能である。よって、本考案は多種の据え付け方式を有し、車のもともと有る内装に直接取り付けられる他、卓上型として使用する機能も有する。
【図面の簡単な説明】
【００１１】
【図１】本考案の第一実施例による掛架式携帯ディスプレイの上段構造を示す外観斜視図である。
【図２】本考案の第一実施例による掛架式携帯ディスプレイの据え付け角度が回転する場合を示す側面図である。
【図３】本考案の第一実施例による掛架式携帯ディスプレイをサンバイザーに吊掛して使用する場合を示す外観斜視図である。
【図４】本考案の第一実施例による掛架式携帯ディスプレイをサンバイザーに吊掛して化粧鏡を使用する場合を示す外観斜視図である。
【図５】本考案の第一実施例による掛架式携帯ディスプレイとヘッドレストカバーを示す分解斜視図である。
【図６】本考案の第一実施例による掛架式携帯ディスプレイをサンバイザーおよびヘッドレストカバーに吊掛する場合を示す外観斜視図である。
【図７】本考案の第一実施例による掛架式携帯ディスプレイの別の支持部品の構造を示す分解斜視図である。
【図８】本考案の第一実施例による掛架式携帯ディスプレイを収納ポケットに套設して使用する場合を示す外観斜視図である。
【図９】本考案の第一実施例による掛架式携帯ディスプレイの固定支持座の構造を示す側面図である。
【図１０】本考案の第一実施例による掛架式携帯ディスプレイの卓上型据え付けの状態を示す外観斜視図である。
【符号の説明】
【００１２】
　１０　ディスプレイ、１１　接続ポート、２０　枢軸、２０１　位置決め溝、３０　フック、３０１　結合面、３０２　ねじ、３０３　引っ掛け部、４０　サンバイザー、４１　化粧鏡、４２　ヘッドレストカバー、４３　フック溝、４４　ヘッドレスト、５０　背面フレーム、５１　嵌溝、５２　背板、５３　嵌合部、５４　前板、５５　受け面、６０　収納ポケット、７０　底座、７１　嵌合溝
【図１】
0003100394.tif 000003
【図２】
0003100394.tif 000004
【図３】
0003100394.tif 000005
【図４】
0003100394.tif 000006
【図５】
0003100394.tif 000007
【図６】
0003100394.tif 000008
【図７】
0003100394.tif 000009
【図８】
0003100394.tif 000010
【図９】
0003100394.tif 000011
【図１０】
0003100394.tif 000012